(57)【特許請求の範囲】
【請求項１】
時刻付与装置及び複数の発光装置を含む情報処理システムであって、
前記時刻付与装置は、前記発光装置に識別子（ＣＩＤ）及び時刻データを送信し、
前記発光装置は、
(i)前記識別子を受信すると点灯し、
(ii)原始的には時刻情報を有さず、前記時刻付与装置からの時刻データを基に時刻情報を取得し、
(iii)他の発光装置から受信した該他の発光装置に係るＣＩＤと該ＣＩＤの受信時の時刻情報とを関連付けて記憶する
よう構成されていることを特徴とする、情報処理システム。
【請求項２】
時刻付与装置及び複数の発光装置を含む情報処理システムであって、
前記時刻付与装置は、前記発光装置にイベントＩＤ（ＥＩＤ）及び時刻データを送信し、
前記発光装置は、
(i)前記ＥＩＤを受信すると点灯し、
(ii)識別子（ＣＩＤ）を有し、
(iii)原始的には時刻情報を有さず、前記時刻付与装置からの時刻データを基に時刻情報を取得し、
(iv)他の発光装置から受信した該他の発光装置に係るＣＩＤと該ＣＩＤの受信時の時刻情報とを関連付けて記憶する
よう構成されていることを特徴とする、情報処理システム。
【請求項３】
前記発光装置は、すでに時刻情報を有する他の発光装置から受信した時刻データを基に時刻情報を取得するようさらに構成されている、請求項１または２に記載の情報処理システム。
【請求項４】
前記時刻付与装置は、電源が切れても時刻情報を保持するクロックを有し、
前記発光装置は、所定の時間毎にカウントアップを行うカウンタを備え、前記時刻データを受信した時の前記カウンタのカウンタ値と、現在時刻における前記カウンタのカウンタ値との差を基に、現在の時刻の時刻情報を取得し、
前記所定の時間は、前記情報処理システムに含まれる全ての発光装置間で統一されている、請求項１〜３のいずれか１項に記載の情報処理システム。
【請求項５】
情報管理サーバ及び受信装置をさらに含む請求項２〜４のいずれか１項に記載の情報システムであって、
前記発光装置は、他の発光装置に対して、前記ＥＩＤを送信すると共に、自身が受信した１以上のＣＩＤを記載するＣＩＤリストに自身のＣＩＤを追加した前記ＣＩＤリストを送信し、
前記受信装置は、前記発光装置から、前記ＥＩＤと時刻情報が関連づけられたＣＩＤリストとを受信し、前記情報管理サーバに送信する、請求項１〜３のいずれか１項に記載の情報処理システム。
【請求項６】
前記情報管理サーバは、前記ＥＩＤ及び時刻情報が関連づけられたＣＩＤリストに基づいて、前記ＥＩＤごとに前記ＣＩＤリストに関するツリー構造を構築する、請求項５に記載の情報処理システム。
【請求項７】
請求項１に記載のシステムにおける発光装置。
【請求項８】
請求項２〜７のいずれか１項のシステムにおける発光装置。
【発明の詳細な説明】
【技術分野】
【０００１】
本発明は、広くイベント等に使用される発光装置及び該装置を用いた情報処理システムに関し、より詳細には、通信機能を備えた発光装置及び当該発光装置を含む情報処理システムに関する。
【背景技術】
【０００２】
従来、イベントやセレモニーにおいて、ロウソク（キャンドル）を使ったキャンドルリレー等の演出が行われてきた。かかるキャンドルリレー等の演出は、電子機器を用いて疑似的に実施されている（非特許文献１、２）。
【０００３】
非特許文献１、２には、電子機器用アプリケーションソフトウェアであって、当該ソフトウェアをインストールして特定の高周波音を出力する特定のサイトにアクセスして当該高周波音を受信すると疑似的に聖火を貰い受けることができ、その聖火はアクセスした電子機器の表示画面上にロウソクの炎（ないし、火、明かり）として表示され、同ソフトウェアがインストールされている他の電子機器に近接させると高周波音の伝達により炎を疑似的に伝搬させることができる演出技術が開示されている。なお、当該電子機器に表示されたロウソクの炎は、画面上のワイプ操作等によって消すことができる。
【０００４】
また、特許文献１には、電子装置内蔵型灯籠であって、灯部に配置される灯部電子表示装置と、情報表示板と、誘導無線用送受信装置と、監視用カメラと、テレビカメラと、スピーカと、マイクと、緊急用呼出ボタンと、各種センサと、無線も含めた各種通信制御装置と、情報コンセントと、監視制御装置と、放送装置と、照明装置と、電源装置とが実装され、灯部の他に、近傍を通る人に情報を報知する情報報知手段を備えたことを特徴とする電子灯籠が開示されている。
【先行技術文献】
【非特許文献】
【０００５】
【非特許文献１】チームラボ株式会社，「つながるキャンドル」，2014年5月21日，インターネット＜http://candle.team-lab.com/＞
【非特許文献２】Team Lab Inc.，アプリケーションソフトウェア「つながるキャンドル」，2013年11月15日、インターネット＜https://play.google.com/store/apps/details?id=com.teamlab.connectingcandles＞
【特許文献】
【０００６】
【特許文献１】特開２０００−３１５４０４号公報
【発明の概要】
【発明が解決しようとする課題】
【０００７】
しかしながら、非特許文献１、２に開示された技術には、情報伝達可能な電子機器をさらに有効に活用したコミュニケーションツールとして改善の余地がある。また、特許文献１に開示された装置は種々の情報伝達が可能ではあるものの、情報を伝達する人同士を繋ぐといった多様なコミュニケーションを行うことはできない。
【０００８】
イベントやセレモニー等においてキャンドルやキャンドルリレーを模した電子機器を用いる場合には、従来行われてきた炎や火の伝達というモチーフの実現に加えて通信可能であるという長所を生かした新たな改善が期待される。特に、電子機器を用いて擬似的に行われるキャンドルリレー等により電子機器間で伝達された情報を用いたその後のアプリケーションを考慮した情報処理システムの改善が期待される。
【課題を解決するための手段】
【０００９】
本発明の一実施形態は、時刻付与装置及び複数の発光装置を含む情報処理システムであって、前記時刻付与装置は、前記発光装置に識別子（ＣＩＤ）及び時刻データを送信し、前記発光装置は、（i）前記識別子を受信すると点灯し、（ii）原始的には時刻情報を有さず、前記時刻付与装置からの前記時刻データを基に時刻情報を取得し、（iii）他の発光装置から受信した該他の発光装置に係るＣＩＤと該ＣＩＤの受信時の時刻情報とを関連付けて記憶するよう構成されていることを特徴とする。
【発明の効果】
【００１０】
本発明の一実施形態は、電子機器を用いて擬似的に行われるキャンドルリレー等により電子機器間で伝達された情報を用いたその後のアプリケーションを一層多様化する。
【図面の簡単な説明】
【００１１】
【図１】本発明の一実施形態に係る情報処理システムの概略図である。
【図２Ａ】本発明の一実施形態に係る時刻付与装置の概略図である。
【図２Ｂ】本発明の一実施形態に係る時刻付与装置のブロック図である。
【図３Ａ】本発明の一実施形態に係る発光装置の概略構成図である。
【図３Ｂ】本発明の一実施形態に係る発光装置のブロック図である。
【図４】本発明の一実施形態に係る時刻付与装置の動作フローチャートである。
【図５】本発明の一実施形態に係る発光装置の動作フローチャートである。
【図６】本発明の一実施形態に係る発光装置の動作フローチャートである。
【図７】本発明の一実施形態に係る発光装置の動作フローチャートである。
【図８Ａ】本発明の一実施形態に係るツリーデータ構造の概略図である。
【図８Ｂ】本発明の一実施形態に係るツリーデータ構造の概略図である。
【図９】本発明の一実施形態に係るツリーデータ構造の応用例の概略図である。
【図１０】本発明の一実施形態に係る情報処理システムの概略図である。
【発明を実施するための形態】
【００１２】
本発明の一実施形態にかかるイベント用発光装置及び該装置を用いた情報処理システムについて、図面を参照しながら詳細に説明する。
【００１３】
図１は、本発明の一実施形態にかかる情報処理システム１の構成図である。情報処理システム１は、時刻付与装置１１、複数の発光装置１２（図中１２ａ〜１２ｅ）、ネットワーク１５、及び情報管理サーバ１６を含む。また、情報処理システム１は、イベント提供者端末１３及びユーザ端末１４のうちの少なくとも１つを含む。イベント提供者端末１３及びユーザ端末１４は、発光装置１２からデータを受信し、そのデータをネットワーク１５を介して情報管理サーバ１６へ送信する受信装置でもある。
【００１４】
時刻付与装置１１は、擬似的に行われるキャンドルリレーの火種（ライター）に相当する。時刻付与装置１１は、情報管理サーバ１６により設定されたイベントを一意に識別する識別子であって発光装置１２の点灯のトリガーでもある識別子（以後「イベントＩＤ」又は「ＥＩＤ」という。）とともに時刻データを送信する。時刻データには例えばYYYYMMDDhhmmss（年月日時分秒）形式の時刻情報が含まれる。なお、用語「点灯」には、点滅や光の色の変化等も含まれる。また、時刻付与装置１１の形状は、ライターの形状の他に、松明やランタン、暖炉、聖火台等の火種を連想させる形状が好ましいが、どのような形状であってもよい。
【００１５】
発光装置１２は、電源がオンになっただけでは点灯せず、時刻付与装置１１又はすでに点灯している他の発光装置１２からＥＩＤを受信することにより点灯する。但し、実装の態様によるが、発光装置１２が既に他の発光装置１２や時刻付与装置１１からＥＩＤを受信し自身のメモリに記憶されており、発光装置１２の電源がオフになってもその情報を維持することができる仕様にする場合には、発光装置１２の電源オン及びオフに応じて発光装置１２が点灯又は消灯するようにしてもよい。発光装置１２の電源をオフするときにＥＩＤを破棄する仕様にする場合には、最初の電源オン時には発光装置１２は消灯したままである。
【００１６】
イベント提供者端末１３は、イベントの提供者により提供されたパーソナルコンピュータ（ＰＣ）、スマートフォン、又はタブレット等の情報処理端末であり、ネットワーク１５に接続されている。イベント提供者端末１３は、発光装置１２からデータを吸い出し（受信し）、ネットワーク１５を介して情報管理サーバ１６へデータを送信することができる。
【００１７】
ユーザ端末１４は、発光装置１２のユーザが所有するパーソナルコンピュータ（ＰＣ）、スマートフォン、又はタブレット等の情報処理端末であり、ネットワーク１５に接続されている。ユーザ端末１４は、発光装置１２からデータを吸い出し（受信し）、ネットワーク１５を介して情報管理サーバ１６へ送信することができる。
【００１８】
なお、本願の出願時点でのユーザ端末１４は、小型端末であってもＰＣに比肩する処理能力（通信処理速度や画像処理能力等）を備えているものも多く、小型のコンピュータとも言うべきものである。また、情報処理システム１の各装置の各種プログラムやソフトウェアは、情報処理端末におけるＨＤＤやＳＳＤ等の記憶部にインストールないし記憶され、プログラムないしソフトウェアの実行時には、必要に応じて記憶部内のメモリにその全部又は一部のソフトウェアモジュールとして読み出され、ＣＰＵにより演算実行される。該演算実行は必ずしもＣＰＵで行われる必要はなく、ディジタルシグナルプロセッサ（ＤＳＰ）等の補助演算処理装置において行われてもよい。
【００１９】
ネットワーク１５は、ＬＡＮ等の専用回線やインターネット等の公衆回線であり、イベント提供者端末１３、ユーザ端末１４、及び情報管理サーバ１６は、ネットワーク１５を介して相互に通信可能に接続されている。ネットワーク１５の回線は有線であっても無線であってもよく、無線の場合、図示しない基地局や無線ルータ等を介してインターネットに乗り入れ、更に回線を介して情報管理サーバ１６と相互に通信可能に接続される。また、ＷｉＦｉ（登録商標）やＢｌｕｅｔｏｏｔｈ（登録商標）規格の無線通信や、ＦｅｌｉＣａ（登録商標）、ＩＳＯ／ＩＥＣ１４４４３（ＭＩＦＡＲＥの通信方式）、又はＩＳＯ／ＩＥＣ１８０９２の通信方式等の近接場無線通信（ＮＦＣ）を用いて、イベント提供者端末１３及びユーザ端末１４と情報管理サーバ１６とが直接無線通信するようにしてもよい。
【００２０】
情報管理サーバ１６は、ネットワーク１５に接続されたサーバーコンピュータであり、必要に応じてそのハードウェアスペックを上げるにあたり複数のＰＣを並列的に作動させることによって大規模データの処理に適した構成を有するようにしてもよい。
【００２１】
図２Ａは時刻付与装置１１の外観構成図であり、図２Ｂは時刻付与装置１１のハードウェアの機能ブロック図である。図２Ａに示すように、時刻付与装置１１は、本体１１００、発光部１１０２、及び赤外線モジュール１１０３を備え、限定されないが模式的にライターの形状をしている。時刻付与装置１１の大きさは、典型的には実際のライターと同様に人の手に収まる程度である。
【００２２】
なお、時刻付与装置１１は、赤外線モジュール１１０３の代わりに、ＷｉＦｉやＢｌｕｅｔｏｏｔｈ規格の無線通信用のモジュールを備えていてもよいし、ＮＦＣ用のモジュールを備えていてもよい。そして、発光装置１２にも対応するモジュールを設けることで、時刻付与装置１１は、これらの規格を用いて発光装置１２と通信するようにしてもよい。
【００２３】
図２Ｂに示すように、時刻付与装置１１は、マイコンユニット１１０１、発光部１１０２、赤外線モジュール１１０３、メモリ１１０４、入出力Ｉ／Ｏ１１０５、クロック１１０６、電池１１０７、及びスイッチ１１０８を備える。各要素１１０２〜１１０８は、内部バスを介してマイコンユニット１１０１に接続されている。
【００２４】
入出力Ｉ／Ｏ１１０５は、製造上のコストに鑑みて省略してもよい。また、マイコンユニット１１０１、赤外線モジュール１１０３、メモリ１１０４、及び入出力Ｉ／Ｏ１１０５の全部又は一部を１つのユニットにまとめたモジュールを用いてもよい。
【００２５】
マイコンユニット１１０１は、ＣＰＵ、各種プログラムないしソフトウェアを記憶するＲＯＭ、及びＲＡＭ等を含むユニットであり、各種プログラムないしソフトウェアに基づき各要素１１０２〜１１０８を制御する。発光部１１０２は、炎の形状を模した透明又は半透明の筐体中に電球又はＬＥＤを含み、発光部１１０２の点灯（オン）及び消灯（オフ）は、マイコンユニット１１０１からの信号に応じて制御される。
【００２６】
赤外線モジュール１１０３は、赤外線を発光及び受光するモジュールであり、主に発光装置１２との近距離無線通信に用いる。時刻付与装置１１は、赤外線モジュール１１０３を通じて、ＥＩＤ及び時刻データを発光装置１２に送信する。なお、赤外線モジュール１１０３の代わりに高周波音を発生するモジュールを設け、発光装置１２と高周波音を用いて通信するようにしてもよい。また、前記のとおり、赤外線モジュール１１０３の代わりに、ＷｉＦｉやＢｌｕｅｔｏｏｔｈ規格の無線通信用のモジュールや、ＮＦＣ用のモジュールを採用してもよい。
【００２７】
メモリ１１０４には、時刻付与装置１１自身の識別子（ＣＩＤ）が原始的に記憶されている。ここで、用語「原始的に」とは、「時刻付与装置１１が製造された時に」又は「時刻付与装置１１が実際にイベント等で使用される前に」という意味である。入出力Ｉ／Ｏ１１０５は、イベント提供者端末１３及びユーザ端末１４等と通信可能なＵＳＢポートや、ネットワーク通信モジュール等を備える。ＵＳＢポートを含む場合、入出力Ｉ／Ｏ１１０５を通じて電池１１０７を充電するようにしてもよい。また、入出力Ｉ／Ｏ１１０５と赤外線モジュール１１０３（又はＢｌｕｅｔｏｏｔｈやＮＦＣ等の代替モジュール）とを共通のモジュールとして構成してもよい。
【００２８】
クロック１１０６は、水晶振動子やＣＰＵ、電池を含むリアルタイムクロックＩＣを備え、時刻付与装置１１の電源がオフになっていても現在時刻を刻み続ける。マイコンユニット１１０１は、クロック１１０６により生成される時刻データ（年月日時分秒）を読み出し、該時刻データを赤外線モジュール１１０３を介して発光装置１２に送信する。発光装置１２は、原始的には時刻情報を有しておらず、時刻付与装置１１又は他の発光装置１２から時刻データを受信することによって、時刻情報（年月日時分秒）を取得することができる。ここで、用語「原始的に」とは、「発光装置１２が製造された時に」又は「発光装置１２が実際にイベント等で使用される前に」という意味である。
【００２９】
電池１１０７は、リチウムイオン電池等の充電可能な二次電池であり、各要素１１０１〜１１０６に電源を供給する。スイッチ１１０８には、時刻付与装置１１の電源をオン／オフするための電源スイッチや、赤外線モジュール１１０３を介したデータ送信を実行する送信スイッチが含まれる。スイッチ１１０８が操作されると、それに応じた信号がマイコンユニット１１０１に出力され、それを基にマイコンユニット１１０１は、電源スイッチや送信スイッチが操作されたと判断することができる。
【００３０】
図３Ａは発光装置１２の外観構成図であり、図３Ｂは発光装置１２のハードウェアの機能ブロック図である。図３Ａに示すように、発光装置１２は、円筒形状の本体１２００、発光部１２０２、及び赤外線モジュール１２０３を備え、限定されないが模式的にキャンドルの形状をしている。なお、前記のとおり、時刻付与装置１１及び発光装置１２との通信には、赤外線モジュール１２０３の代わりに、ＷｉＦｉやＢｌｕｅｔｏｏｔｈ規格の無線通信用のモジュールや、ＮＦＣ用のモジュールを採用してもよい。
【００３１】
発光装置１２の典型的な大きさは、円筒形状の本体１２００の直径が３５〜４０ｍｍ程度、本体１２００の底部から発光部１２０２の頂部までの高さが２５〜３５ｍｍ程度である。構造上は、本体１２００と発光部１２０２とをＡＢＳ樹脂やポリプロピレンプラスチック等で一体的に成型してもよいし、２つの部材を別々に成型し、ねじ込むことによって結合する構成としてもよい。
【００３２】
図３Ｂに示すように、発光装置１２は、マイコンユニット１２０１、発光部１２０２、赤外線モジュール１２０３、メモリ１２０４、入出力Ｉ／Ｏ１２０５、カウンタ１２０６、電池１２０７、及びスイッチ１２０８を備える。
【００３３】
なお、入出力Ｉ／Ｏ１２０５は製造上のコストに鑑みて省略してもよい。この場合、イベント提供者端末１３及びユーザ端末１４と発光装置１２との間の通信は、赤外線モジュール１２０３を介した赤外線通信により行う。また、発光装置１２が入出力Ｉ／Ｏ１２０５を備え無い場合、電池１２０７は充電できない一次電池であってもよい。さらに、マイコンユニット１２０１、赤外線モジュール１２０３、メモリ１２０４、及び入出力Ｉ／Ｏ１２０５の全部又は一部を１つのユニットにまとめたモジュールを用いてもよい。そのようなモジュールの一例として、ｍａｘｉｍ社製赤外線モジュール内臓型１６ビットマイクロコントローラ「ＭＡＸＱ６１０」などがある。
【００３４】
マイコンユニット１２０１は、ＣＰＵ、各種プログラムないしソフトウェアを記憶するＲＯＭ、及びＲＡＭ等を含むユニットであり、各種プログラムないしソフトウェアに基づき各要素１２０２〜１２０７を制御する。発光部１２０２は、炎の形状を模した透明又は半透明の筐体中に電球又はＬＥＤを含み、発光部１２０２の点灯（オン）及び消灯（オフ）は、マイコンユニット１２０１からの信号に応じて制御される。
【００３５】
赤外線モジュール１２０３は、赤外線を発光及び受光するモジュールであり、主に時刻付与装置１１及び他の発光装置１２との近距離無線通信に用いる。なお、赤外線モジュール１２０３の代わりに高周波音を発生及び検知するモジュールを設け、時刻付与装置１１及び他の発光装置１２と高周波音を用いて通信するようにしてもよい。また、前記のとおり、赤外線モジュール１２０３の代わりに、ＷｉＦｉやＢｌｕｅｔｏｏｔｈ規格の無線通信用のモジュールや、ＮＦＣ用のモジュールを採用してもよい。
【００３６】
発光装置１２は、時刻付与装置１１から時刻データ及びＥＩＤデータを含む信号を、赤外線モジュール１２０３を介して受信し、時刻データと該時刻データの受信時におけるカウンタ１２０６のカウント値とを関連付けて、ＥＩＤとともにメモリ１２０４に記憶する。また、発光装置１２は、赤外線モジュール１２０３を通じて自身のＩＤ（ＣＩＤ）、ＥＩＤ、及び時刻データを含む信号を、他の発光装置１２へ送信する。該他の発光装置１２は、時刻データを受信時におけるカウンタ１２０６のカウント値とともに関連付けて、受信したＣＩＤ及びＥＩＤとともに自身のメモリ１２０４に記憶する。
【００３７】
メモリ１２０４には、発光装置１２自身の識別子（ＣＩＤ）が原始的に記憶されている。ここで、用語「原始的に」とは、「発光装置１２が製造された時に」又は「発光装置１２が実際にイベント等で使用される前に」という意味である。入出力Ｉ／Ｏ１２０５は、イベント提供者端末１３及びユーザ端末１４等と通信可能なＰＣＩ、ＵＳＢ、無線ＬＡＮ等のポートを備える。ＵＳＢポートを含む場合、入出力Ｉ／Ｏ１２０５を通じて電池１２０７を充電するようにしてもよい。また、入出力Ｉ／Ｏ１２０５と赤外線モジュール１２０３（又はＢｌｕｅｔｏｏｔｈ（登録商標）やＮＦＣ等の代替モジュール）とを共通のモジュールとして構成してもよい。
【００３８】
カウンタ１２０６は、所定の時間（例えば１０ミリ秒）ごとにカウントアップ（カウンタ値＝カウンタ値＋１）し、マイコンユニット１２０１にカウント値を出力する。当該所定の時間は、情報処理システム１に使用する全ての発光装置１２で統一させておく。
【００３９】
発光装置１２は、前記のとおり原始的には時刻情報を有していないため、時刻付与装置１１又は他の発光装置１２から時刻データを受信することによって、時刻情報（年月日時分秒）を取得することができる。マイコンユニット１２０１は、時刻付与装置１１又は他の発光装置１２から受信した時刻データ（例えば年月日時分秒の時刻情報を含む。）と、該時刻データの受信時におけるカウンタ１２０６からのカウント値とを関連付けてメモリ１２０４に記憶しておく。これにより、発光装置１２は、現在のカウント値と、時刻付与装置１１又は他の発光装置１２から受信した時刻データに関連付けられたカウント値との差を基に、現在の時刻の時刻情報を算出することができる。
【００４０】
ここで、カウンタ１２０６は、リアルタイムクロックＩＣを含むクロック１１０６よりも製造コストの点で優れている（つまり製造コストが安い）。そのため、本実施形態における情報処理システム１において、発光装置１２には、リアルタイムクロックＩＣ等のクロックを設けずに、カウンタ１２０６を設けるようにしている。また、情報処理システム１を体験するユーザは、発光装置１２が原始的には時刻情報を有しないため、他のユーザの発光装置１２又は時刻付与装置１１からＣＩＤ及びＥＩＤとともに、時刻情報を受け取る必要がある。
【００４１】
電池１２０７は、リチウムイオン電池等の充電可能な二次電池であり、各要素１２０１〜１２０６に給電する。スイッチ１２０８には、発光装置１２の電源をオン／オフするための電源スイッチや、赤外線モジュール１２０３を介したデータ送信を実行する送信スイッチを含む。スイッチ１２０８が操作されると、それに応じた信号がマイコンユニット１２０１に出力され、それを基にマイコンユニット１２０１は、電源スイッチや送信スイッチが操作されたと判断することができる。
【００４２】
イベント提供者端末１３は、発光装置１２の入出力Ｉ／Ｏ１２０５又は赤外線モジュール１２０３を介して発光装置１２のメモリ１２０４に記憶されたデータを読み出し、ネットワーク１５を通じて情報管理サーバ１６（又はユーザ端末１４）に送信する。また、ユーザ端末１４は、発光装置１２の入出力Ｉ／Ｏ１２０５又は赤外線モジュール１２０３を介してメモリ１２０４に記憶されたデータを読み出し、ネットワーク１５を通じて情報管理サーバ１６（又はユーザ端末１４）に送信する。
【００４３】
なお、時刻付与装置１１及び発光装置１２の代替的な装置として、図２Ｂ及び図３Ｂに示す各機能を実現するハードウェアを備えたカード型デバイス、又は該機能を実現するアプリケーションがインストールされたＰＣ、携帯電話、スマートフォン若しくはタブレット端末を用いてもよい。
【００４４】
次に、図４〜７を参照して、本発明の一実施形態に係る情報処理システム１に含まれる各装置の動作フローを説明する。
【００４５】
情報処理システム１は、上述した装置による連携動作によって、イベントやセレモニー等においてキャンドルやキャンドルリレーを模した電子機器を用いた炎（のモチーフ）の伝達に留まらず、電子機器が備える通信機能を活かした新たなコミュニケーションをユーザに提案し、ひいては新しい人間関係の構築及び醸成をもたらす。
【００４６】
情報処理システム１において、発光装置１２は、ロウソクやキャンドルを模した形状を有し、発光部１２０２のＬＥＤを点灯させることができるほかに、自身の識別子（ＣＩＤ）を持っており、かつ信号ないしデータ（主としてＣＩＤ、ＥＩＤ及び時刻データ）の送受信を行う。ＥＩＤは、後述するように、時刻付与装置１１や他の発光装置１２から受信するものある。発光装置１２は、ＥＩＤ等の信号ないしデータの受信完了の合図として自己の発光部１２０２の火を点灯（オン）することができる。詳細は後述するが、ＥＩＤとＣＩＤは、他の発光装置１２へ受け渡されると、送信元の発光装置１２のＣＩＤを含むリストとして伝達されていく。
【００４７】
図４は、時刻付与装置１１が発光装置１２を発光させる動作のフローチャートである。時刻付与装置１１の動作フローは、メモリ１１０４又はマイコンユニット１１０１の内部メモリから読み出されたプログラムないしソフトウェアに応じて、主にマイコンユニット１１０１のＣＰＵが各要素１１０２〜１１０８を制御することにより実行される。
【００４８】
まず、時刻付与装置１１の電源スイッチ（１１０８）がオンされると時刻付与装置１１の動作が開始され（Ｓ４００）、時刻付与装置１１の発光部１１０２が点灯する（Ｓ４０１）。時刻付与装置１１が点灯しているのを見て、ユーザは、時刻付与装置１１が起動しており、発光装置１２を点灯させることができる状態にあると判断できる。
【００４９】
Ｓ４０２において、時刻付与装置１１は電源スイッチ（１１０８）がオフにされたかどうかを判断する。電源スイッチがオフとなった場合（Ｓ４０２でＹｅｓ）、時刻付与装置１１は、発光部１１０２を消灯し（Ｓ４０６）、動作を終了する（Ｓ４０７）。
【００５０】
電源スイッチがオフになっていない場合（Ｓ４０２でＮｏ）、Ｓ４０３において、時刻付与装置１１は、送信スイッチ（１１０８）がオンにされたかどうか判断する。操作スイッチがオンにされていない場合（Ｓ４０３でＮｏ）、フローはＳ４０２に戻る。Ｓ４０２及びＳ４０３の処理を所定の回数繰り返した場合、又は所定の時間経過してもＳ４０４へ進まない場合には、時刻付与装置１１は、強制的に消灯（Ｓ４０６）及び電源オフ（Ｓ４０７）する仕様にしてもよい。
【００５１】
操作スイッチがオンとなった場合（Ｓ４０３でＹｅｓ）、Ｓ４０４において、時刻付与装置１１は、赤外線モジュール１１０３を通じて発光装置１２と赤外線通信を行い、ＥＩＤと、クロック１１０６で生成された現在の時刻データ（年月日時分秒の時刻情報を含む）とを発光装置１２に送信する。なお、このときに、時刻付与装置１１のＣＩＤも発光装置１２に送信するようにしてもよい。
【００５２】
ここで、図５を用いて、発光装置１２が時刻付与装置１１からデータを受信したときの動作フローについて説明する。なお、発光装置１２は電源がすでにオンの状態にあるとする。まず、Ｓ４０４で時刻付与装置１１から送信されたデータを受信すると（Ｓ５００）、Ｓ５０１において発光装置１２のマイコンユニット１２０１は、カウンタ１２０６から受信時のカウンタ値を読みだす。発光装置１２は、時刻付与装置１１から受信した時刻データ（年月日時分秒の時刻情報を含む）と、Ｓ５０１で読みだしたカウンタ値とを関連づけ（Ｓ５０２）、受信したＥＩＤとともにメモリ１２０４に記憶する（Ｓ５０３）。Ｓ５０４において発光装置１２は、赤外線モジュール１２０３を通じて時刻付与装置１１に受信成功を示すＡＣＫ信号を送信する。そして、発光装置１２は発光部１２０２を点灯させ（Ｓ５０５）、受信動作を終了する（Ｓ５０６）。なお、フローＳ５０１〜５０５の順序はこれに限定されず、仕様に応じて適宜変更されてよい。
【００５３】
図４の説明に戻り、Ｓ４０５において、時刻付与装置１１は、ＡＣＫ信号を受信したかどうか判断する。ＡＣＫ信号を受信した場合（Ｓ４０５でＹｅｓ）、フローはＳ４０２に戻る。ＡＣＫ信号を受信しない場合（Ｓ４０５でＮｏ）、時刻付与装置１１は、データ送信処理Ｓ４０４を繰り返し行う。Ｓ４０４の処理を所定の回数繰り返した場合、又は所定の時間経過してもＡＣＫ信号を受信できない場合には、時刻付与装置１１は、強制的に消灯（Ｓ４０６）及び電源オフ（Ｓ４０７）するようにしてもよい。
【００５４】
なお、時刻付与装置１１によるＥＩＤの送信は、送信スイッチのオンによるものではなく、常時送信し続ける仕様にしてもよい。つまり、ＥＩＤを保持して発光部が点灯している時刻付与装置１１に発光装置１２を近づけると、所定距離内に入った時には必然的に赤外線通信が開始され、時刻付与装置１１から発光装置１２へＥＩＤが送信される。また、時刻付与装置１１は、動作開始Ｓ４００時に、メモリ１１０４内にＥＩＤを既に有しているかどうかチェックし、有していなければネットワーク１５を介して情報管理サーバ１６へアクセスしてＥＩＤを取得するようにしてもよい。このとき、詳細説明は割愛するが、どの時刻付与装置１１（ＣＩＤによって特定できる）に対して、どんなＥＩＤを割り振るかは、情報管理サーバ１６で管理されており、認証処理を含めて適宜処理される。例えば、情報管理サーバ１６は、あるコンサートのイベントについては「EID_1001」というＥＩＤが割り当てられ、ある展覧会のイベントに対しては「EID_1002」という別のＥＩＤを割り当てるようにしてもよい。そして、情報管理サーバ１６は、あるイベントの場所の地理的近くに位置する時刻付与装置１１に向けて、そのイベントに該当するＥＩＤを付与するようにしてもよい。
【００５５】
次に、図６を用いて発光装置１２と他の発光装置１２との間のデータ通信の動作フローについて説明する。ここでは説明上、着目している発光装置の符号を「１２」とし、その他の発光装置の符号を「１２ｘ」とする。
【００５６】
電源スイッチが操作され起動した発光装置１２は（Ｓ６００）、Ｓ６０１で電源スイッチがオフにされたか判断する。電源スイッチがオフの場合（Ｓ６０１Ｙｅｓ）、Ｓ６１０へ進み、発光装置１２は、メモリ１２０４に記憶されているＥＩＤ、ＣＩＤ、及び時刻データ等のデータを消去（又は保持フラグを解除）し終了する（Ｓ６１１）。なお、Ｓ６１０の処理は省略してもよく、この場合、発光装置１２の電源がオフになってもこれまでに取得したＥＩＤ等のデータはメモリ１２０４に記憶されたままである。
【００５７】
電源スイッチがオフでは無い場合（Ｓ６０１でＮｏ）、Ｓ６０２において発光装置１２は、ＥＩＤ等を送信するための送信スイッチ（１２０８）がオンされたかどうか判断する。送信スイッチがオンされた場合（Ｓ６０２でＹｅｓ）、Ｓ６０３において発光装置１２は、ＥＩＤやＣＩＤ等のデータを他の発光装置１２ｘへ送信する送信処理を行う。送信処理Ｓ６０３の詳細については図７を参照して後述する。
【００５８】
送信スイッチがオンされていない場合（Ｓ６０２でＮｏ）、発光装置１２は、他の発光装置１２ｘから送信されたＥＩＤ、時刻データ、及び１以上のＣＩＤを含むリスト（ＣＩＤリスト）を受信したかどうか判断する。ＣＩＤリストには、ＣＩＤと関連付けられた時刻情報も含まれる。ＥＩＤ等のデータの送受信は、装置同士が一定距離内に近づいている状態で送信元の発光装置の送信スイッチがオンされると、赤外線通信により実行される。なお、通信方式は、赤外線通信のほか、前記のように高周波音を使用した通信方式や、ＷｉＦｉ、Ｂｌｕｅｔｏｏｔｈ、又はＮＦＣを利用した通信方式であってもよい。
【００５９】
発光装置１２は、他の発光装置１２ｘから送信されたＥＩＤを受信したと判断すると（Ｓ６０４でＹｅｓ）と、ユーザからはあたかも他の発光装置１２ｘから発光装置１２へキャンドルリレーがなされたよう見えるように、発光部１２０２を点灯させ、Ｓ６０５へ処理を進める。情報処理システム１では、発光装置１２と他の発光装置１２ｘとの間で、キャンドルリレーを模した光の伝達と共にＥＩＤ等のデータの受け渡しを行っている。ＥＩＤを受信していないと判断すると（Ｓ６０４でＮｏ）、Ｓ６０１へ戻り、Ｓ６０１〜Ｓ６０４の処理は、イベントドリブンな割り込み処理としてサイクリックに巡回監視制御されている。
【００６０】
Ｓ６０５において発光装置１２は、Ｓ６０４で受信したＥＩＤと同じＥＩＤをメモリ１２０４内に既に保持しているかどうかを判断する。まだ同じＥＩＤを保持していない場合（Ｓ６０５でＮｏ）、該ＥＩＤを新規にメモリ１２０４に登録し（Ｓ６０６）、Ｓ６０７へ処理を進める。
【００６１】
Ｓ６０７において、発光装置１２は、Ｓ６０４で他の発光装置１２ｘから時刻情報（年月日時分秒）を含む時刻データを受信すると、カウンタ１２０６から読み出された該受信時のカウント値と、受信した時刻データとを関連づけてメモリ１２０４に記憶する。これにより、発光装置１２は、現在のカウント値と、該受信した時刻データに関連付けられたカウント値との差を基に、現在の時刻情報（年月日時分秒）を求めることができる。
【００６２】
Ｓ６０８において、発光装置１２は、Ｓ６０４で他の発光装置１２ｘからＥＩＤ等のデータを受信した時の時刻の時刻情報と、ＣＩＤリスト中の他の発光装置１２ｘに係るＣＩＤとを関連付けた後、該ＣＩＤリストをメモリ１２０４に記憶する。ＣＩＤリスト中の他の発光装置１２ｘに係るＣＩＤは、通常、受信したＣＩＤリストの最後尾にあるＣＩＤである。
【００６３】
Ｓ６０９において発光装置１２は、ＥＩＤを送信してきた他の発光装置１２ｘに自身のＣＩＤを返信し、処理をＳ６０８に進める。送信元の発光装置１２ｘは、返信されてきたＣＩＤを用いて、ＥＩＤの送信先（即ち発光装置１２）を記録しておくことができる。
【００６４】
次に、図７を用いて、Ｓ６０３の送信処理の詳細について説明する。発光装置１２の送信処理は、送信元の発光装置１２の送信ボタンが押され、他の発光装置１２ｘに対して一定の距離内に近づき、赤外線通信の処理が開始される。送信元の発光装置１２は、ＥＩＤと１以上のＣＩＤリストを送信する際に、限定されないがＣＩＤリストの最後尾に、自身のＣＩＤとそれに関連付けた送信時の時刻情報とを付加して送信先の他の発光装置１２ｘへ送信する。
【００６５】
送信スイッチがオンされると（図６のＳ６０３でＹｅｓ）、Ｓ７０１において発光装置１２は、メモリ１２０４内に既に受信したＥＩＤが有るかどうかをチェックする。ＥＩＤが無い場合（Ｓ７０１でＮｏ）は送信処理ができないので、Ｓ６０４へ進む。見かけ上は何も起こらないことになるので、このとき、発光装置１２は、発光部１２０２を一定時間点滅させる等何らかのメッセージを出すようにしてもよい。
【００６６】
ＥＩＤが有る場合（Ｓ７０１でＹｅｓ）、発光装置１２のメモリ１２０４からこのＥＩＤを読み出し（Ｓ７０２）、既に受信したＣＩＤリストが有るかどうか判断する（Ｓ７０３）。ＣＩＤリストが有れば（Ｓ７０３でＹｅｓ）、発光装置１２は、メモリ１２０４に記憶されているＣＩＤリストを読み出す（Ｓ７０４）。そして、読み出したＣＩＤリストの最後尾に自身のＣＩＤを追加して、送信すべきＣＩＤリストを生成する（Ｓ７０５）。他方、Ｓ７０３でＮｏの場合は、発光装置１２は、ＥＩＤに自身のＣＩＤとそれに関連付けた送信時の時刻情報とを追加して送信すべきＣＩＤリストを生成する。
【００６７】
Ｓ７０６において発光装置１２は、生成した送信リストを他の発光装置１２ｘへ送信する。Ｓ７０７において、送信先の該他の発光装置１２ｘから当該発光装置１２ｘのＣＩＤを受信し、メモリ１２０４に記憶する。これによって、発光装置１２は、送信先の他の発光装置１２ｘから返信されてきたＣＩＤを用いて、ＥＩＤを送信した相手を記録しておくことができる。そして、送信処理Ｓ６０３は数量し、フローはＳ６０４へ戻る。
【００６８】
［キャンドルリレー時のＥＩＤ等の送受信の具体例］
ここで、図６及び７の動作フローを踏まえた具体例を挙げる。いま、ＥＩＤを保持していない発光装置（キャンドル）Ａ〜Ｅがあり、各発光装置Ａ〜Ｅが保持するＣＩＤの具体的な値をそれぞれCID_A、CID_B、CID_C、CID_D、及びCID_Eとする。また、時刻付与装置Ｐの識別子をCID_Pとする。発光装置Ａが時刻付与装置Ｐから火（ＥＩＤ）を貰い受け、以下、発光装置Ａ→発光装置Ｂ→発光装置Ｃ→発光装置Ｄ→発光装置Ｅの順にＥＩＤ（及びＣＩＤリスト）の伝達（キャンドルリレー）を行うとする。この場合、それぞれの発光装置Ａ〜Ｅにおいて信号受信とともに保持されるＥＩＤ及びＣＩＤリストは下表のとおりとなる。ここで表中の「TIME_A」は、時刻付与装置Ｐから送信されたＥＩＤを発光装置Ａが受信した時刻Ａの時刻情報であり時刻付与装置Ｐの識別子CID_Pと関連付けられている（時刻Ａは、時刻付与装置Ｐから送信された時刻情報が採用される）。「TIME_B」は、発光装置Ａから送信されたＥＩＤを発光装置Ｂが受信した時刻Ｂの時刻情報であり発光装置Ａの識別子CID_Aと関連付けられている（時刻Ｂは、発光装置Ａが時刻Ａと装置Ａのカウンタとに基づいて計時及び送信したものである）。「TIME_C」は、発光装置Ｂから送信されたＥＩＤを発光装置Ｃが受信した時刻Ｃの時刻情報であり発光装置Ｂの識別子CID_Bと関連付けられている（時刻Ｃは、発光装置Ｂが時刻Ｂと装置Ｂのカウンタとに基づいて計時及び送信したものである）。「TIME_D」は、発光装置Ｃから送信されたＥＩＤを発光装置Ｄが受信した時刻Ｄの時刻情報であり発光装置Ｃの識別子CID_Cと関連付けられている（時刻Ｄは、発光装置Ｃが時刻Ｃと装置Ｃのカウンタとに基づいて計時及び送信したものである）。また、「TIME_E」は、発光装置Ｄから送信されたＥＩＤを発光装置Ｅが受信した時刻Ｅの時刻情報であり発光装置Ｄの識別子CID_Dと関連付けられている（時刻Ｅは、発光装置Ｄが時刻Ｄと装置Ｄのカウンタとに基づいて計時及び送信したものである）。なお、キャンドルリレーの順番の最初の時刻付与装置Ｐは、ネットワーク１５を介して情報管理サーバ１６からＥＩＤを受信することで、予めあるイベントに係るＥＩＤを獲得している。
【表１】
0006632405.tif 000002
【００６９】
ここで、時刻付与装置１１は、発光装置１２にＥＩＤを送信した後に、発光装置１２からＡＣＫとともに発光装置１２のＣＩＤを受信するようにしてもよい。このとき、時刻付与装置１１は、発光装置１２から返信されてきたＣＩＤをメモリに記憶するとともに、返信されてきたＣＩＤと時刻付与装置１１自身のＣＩＤとを関連付けて、ネットワーク１５を通じて情報管理サーバ１６にアップロードするようにしてもよい。そして、情報管理サーバ１６は、一意のＥＩＤを割り当てたイベントごとに、そのイベントに関連する時刻付与装置１１がどの発光装置１２にＥＩＤを付与したかを管理することができる。その管理テーブルを例示すると、下表のとおりである。
【表２】
0006632405.tif 000003
【００７０】
次に、図８Ａ及び図８Ｂを参照して、情報処理システム１の情報管理サーバ１６において構築されるＣＩＤのツリー構造について説明する。上述したとおり、情報管理サーバ１６には、イベント提供者端末１３及びユーザ端末１４を介して複数の発光装置１２からＥＩＤ及び１以上の要素を含むＣＩＤリスト、並びに、各発光装置１２がこれまでに送信した先の装置のＣＩＤ群が集約される。
【００７１】
情報管理サーバ１６は、ＥＩＤ（つまりこのＩＤが一意に割り当てられたイベントそれ自体）ごとに、ＣＩＤリストの樹形図ないし系統図となるべきツリーを構築することができる。このとき、該ツリーは、イベント提供者端末１３及びユーザ端末１４を介して都度送信されてくる発光装置１２のＥＩＤ及びＣＩＤリストをＥＩＤごとに整理し、そのＣＩＤリストを前方一致検索等のアルゴリズムを使用して、共通するリスト前方部分を抽出しながら、異なるリスト後方部分については枝分かれさせるようにリスト前後のポインタを繋ぎかえるなどして構築される。そのツリー８０１の様子を図８Ａに示す。
【００７２】
図８Ａには、あるイベント（共通のＥＩＤ）に関連付けられたＣＩＤリストを上述したアルゴリズムにより整理し、系統図としてツリー化されたデータ構造が示されている。具体例を挙げると、このイベントが、あるアーティストによるコンサートイベントだとすると、図８Ａに示されたＣＩＤのツリーは、このアーティストのコンサートに参加しようと会場に集まってきたファンが各々の発光装置１２を携行し、会場近辺等に設置された時刻付与装置１１やファンが持参した時刻付与装置１１から火（ＥＩＤ）を貰い受け、一方で、まだＥＩＤを保持していない（消灯状態にある）発光装置１２を携行する他のファンにも火（ＥＩＤ等）を分け与えながら会場に集まってきた場合の明かりの系譜ともいうべき系統図である。あるいは、図８Ａに示されたツリーは、コンサート会場で、アーティストが手にした篝火（時刻付与装置１１）の会場の最前列のファン達（各々、発光装置１２を携行している）に火（ＥＩＤ等）を付与し、最前列のファン達が次々と後列のファン達にキャンドルリレーをする要領で、ＥＩＤ等をリレーしていった場合の明かりの系譜ともいうべき系統図を当てはめることができる。
【００７３】
そして、コンサートを楽しんだファン達は、各々家路に着く過程で、例えば道中に配置されたイベント提供者端末１３やファン自身が所有するユーザ端末１４に発光装置１２を接続したりかざすなどして、自身が保持するＥＩＤとＣＩＤリストとを情報管理サーバ１６へ送信する。あるいは、イベント提供者端末１３は、道中ではなく喫茶店や軽食店のテーブル上にランタンのモチーフなどとして設置されていても良い。発光装置１２からイベント提供者端末１３へＥＩＤ等のデータを送信した際には、これを検出したイベント提供者端末１３からアーティストによる「今日はありがとう」とのボイスメッセージが返されたり、イベント提供者端末１３の電飾装置が発光したり、ディスプレイ上に今後の予定などの付加情報が表示されたりするなどして、ファン達にイベント後の「余韻」ともいえる満足感を提供する。そうして、帰宅したファン達は、スマートフォンやＰＣ等のユーザ端末１４から情報管理サーバ１６へアクセスし、今回のイベントで築かれた系統図を閲覧することができる。その場合の系統図が、例えば図８Ａのように確認できるのである。なお、端末ディスプレイ上でのこのツリーの見せ方（表示の仕方）には、従来のビジュアライゼーション手法を使った様々な見せ方を実施することができる。
【００７４】
［ツリーの拡張例］
図８Ｂを用いて、あるユーザが自身の携行するＥＩＤ等保持済みの発光装置１２をイベント提供者端末１３等にかざすなどして保持データを情報管理サーバ１６にアップロードした場合のツリーの拡張処理例を説明する。このユーザの携行する発光装置１２（ＩＤは「CID_20」）には、以下のＥＩＤや、時刻データ（TIME_）が関連付けられたＣＩＤ等のデータが保持されているとする。
[EID_X, CID_0*TIME_0, CID_2*TIME_2, CID_5*TIME_5, CID_7*TIME_7]
ただし、「EID_X」に関するツリーは、図８Ａに示されるとおりのツリーが既に形成されているものとする。
【００７５】
次に、発光装置１２をイベント提供者端末１３等にかざすなどして保持データをサーバにアップロードする際には、その最後尾に自身のＣＩＤが追加され、例えば次のとおりのデータがアップロードされることになる。
[Event_X, CID_0*TIME_0, CID_2*TIME_2, CID_5*TIME_5, CID_7*TIME_7, CID_20*TIME_20]
【００７６】
また、この発光装置１２が保持データをサーバにアップロードするまでに、他の複数の発光装置（それぞれ自身のＣＩＤとして、CID_21、CID_22、CID_23を保持しているものとする）に対してキャンドルリレーを行っていたとすると、これら送信先の発光装置のＣＩＤ群も送信元のＣＩＤ（CID_20）と関連付けられて併せてサーバにアップロードされる。
[CID_21*TIME_21, CID_22*TIME_22, CID_23*TIME_23] 
（→上記送信リストは、送信元ＣＩＤ（CID_20）に関連付けられてサーバへ送信される）
【００７７】
そうすると、「CID_20」を有する発光装置１２からのアップロードデータは、情報管理サーバ１６において整理され（例えば、サーバ上でＥＩＤによって組み込まれるべきツリーが特定され、さらに、前方一致検索等により、そのツリーのどの部分に取り込まれるべきかが探索されるなど）、図８Ｂに示すように、組み込まれる。この図８Ｂに示される系統図の全部又は一部（アクセス制限等によりシステム側で調整できる）は、「CID_20」を保持する発光装置を携行するユーザが、帰宅後などに自身のユーザ端末から情報管理サーバ１０１へアクセスして確認することができる。
【００７８】
［確認できる系統範囲等の具体例］
識別子「CID_20」を有する発光装置１２からアップロードしたユーザが、「EID_X」についての系統図で閲覧できる範囲の設定は、これらに限定されるものではないが、下表のとおり様々な趣旨に基づいて設定可能である。
【表３】
0006632405.tif 000004
【００７９】
［ツリーの子孫にあたるCIDがアップロードした場合の見え方の相違］
次に、本発明のさらなる特徴として、自身の子孫にあたるＣＩＤがアップロードされてきたときの見え方の変化について説明する。上述の識別子「CID_20」を保持する発光装置１２からデータがアップロードされ、ユーザが「EID_X」についての系統図で閲覧できる範囲としては、自身の子ノードについては「CID_21」と「CID_22」と「CID_23」である。次に、その子ノードにあたる”CID_21”〜”CID_23”や、更にその子孫ノードとなるCIDを有する発光装置１２が各々のリレー履歴をアップロードすると、「CID_20」を保持する発光装置１２を所持するユーザも、その閲覧許容範囲において、子孫についてのノードCIDを閲覧できるようにしてもよい。
【００８０】
視点を変えて説明すると、図８Ｂにおいて「CID_6」を保持する発光装置を所持するユーザが自身の保持データをアップロードした直後は、「CID_6」の次世代のノードである「CID_8」〜「CID_10」までしか閲覧できないが、その後、その子孫ノードにあたる「CID_13」や「CID_16」を保持する発光装置から保持データがアップロードされた後は、「CID_6」を保持する発光装置を所持するユーザからもその閲覧許可があればそれらの子孫ノードについても閲覧することができるようにしてもよい。
【００８１】
［系統図に基づいたコミュニケーションの広がり］
以上の説明により、本発明の一実施形態にかかる装置を使ったキャンドルリレーでは、単なる明かり（火）の伝達だけではなく、そのリレーの系譜情報をも情報管理サーバ１６に集約することによって、図８Ａや図８Ｂに示したようなイベントに関する系統図を参照できるようになる。さらに本発明では、この系統図（や系統図における閲覧可能範囲）に基づいたコミュニケーション手段を提供することもできる。
【００８２】
図９に、本発明の一実施形態にかかるシステムにおいて構築されるツリーのデータ構造に基づいたコミュニケーション例を示す。図９において、画面９００は、ユーザ端末１４としてのスマートフォン、タブレットないし自宅ＰＣのディスプレイの表示画面である。画面９００のサブウィンドウ９０１には、ユーザが情報管理サーバ１６にアクセスし、そのユーザが許可されているツリーのダウンロードが行われて、許可された範囲でそのツリーが表示されている。許可された範囲でのツリーの表示には、完全なオン／オフ表示の他に、許可されてないノードや他のツリーについても一応その存在が確認できる程度に薄く表示されるが選択したりクリックしたりすることはできないように制御（非アクティブ制御）するなど様々な方法がある。
【００８３】
そして、ユーザは、サブウィンドウ９０１に表示され、選択が許可されたツリー上の任意のノード（他のユーザのＣＩＤノードである）を選択することによって、チャットなどの個別のコミュニケーションをとることができる。あるいは、自身のノードを含むツリーの任意の部分もしくは全体内での掲示板形式のチャットやコミュニケーションを行うこともできる。これらのコミュニケーションの様子は、例示的に画面９００の右側のサブウィンドウ９０２に表示される。その詳細は、従来の多様なインタフェースを採用可能であることは言うまでもない。なお、これらのコミュニケーションは、ＣＩＤさえ特定できれば足りるので、かかるコミュニケーションを通じて匿名のままコミュニティを形成することができる。
【００８４】
［チェックポイント装置の活用例］
イベント提供者端末１３をチェックポイント装置として使用することもできる。例えば、
（１）会場内は会場付近に設置されたイベント提供者端末１３（チェックポイント装置）にカメラが内蔵されており、ここを訪れたユーザが記念撮影をすることができる。この際、ユーザの所持する発光装置からＣＩＤをチェックポイント装置に送信するようにすれば、撮影された画像とＣＩＤ、時刻情報とが関連付けられてサーバにアップロードされる。ユーザはあとで自宅ＰＣなどからこの画像を閲覧することができる。
（２）チェックポイント装置を訪れたユーザが付近の景色やサービスに満足した場合に、このチェックポイント装置を介して満足した旨のコード（「お気に入り」コード、あるいは「いいね！」コード）を入力ないし送信する。このコードが入力ないし送信された場所（チェックポイントの設置場所）は、サーバにアップロードされ、Ｗｅｂ上で公開することができる。他のユーザは、この公開情報を閲覧することができる。
（３）チェックポイント装置に支払い機能を搭載すれば、クレジットカードやデポジットとユーザが携行する発光装置のＣＩＤとを紐付けた決済処理が可能となる。
（４）チェックポイント装置に抽せん機能を搭載すれば、抽せんを行った人の発光装置のＣＩＤを管理することで後日当せん者に付加サービス等を提供することができる。なお、発光装置が保持するＥＩＤを管理し、特定のＥＩＤを保持している者しか抽せんができないように制限をかけることもできる。
【００８５】
また、本発明では、時刻情報がＣＩＤ及びＥＩＤと関連づけて記憶される。そのため、ユーザは、時刻情報を頼りに何時ころに会った人だと記憶をたどることができ、ＣＩＤだけの場合に比べて、ユーザは、イベントにおける人間関係をより容易に思い出すことが可能となる。
【００８６】
また、図１０の情報処理システム１０に示すように、複数のチェックポイントを通過する遊び（ワンダーフォーゲルや迷路、脱出ゲーム等）のイベントにおいて、複数の地点Ａ〜Ｃにチェックポイント装置としてのイベント提供者端末１３（図中１３Ａ〜１３Ｃ）とそれに接続された発光装置１２Ａ〜１２Ｃとを配置し、発光端末１２（又は時刻付与装置１１でもよい。）を有するユーザが、地点Ａ→地点Ｂ→地点Ｃに移動し、その都度置かれた発光装置１２Ａ〜１２Ｃと赤外線通信し、ＥＩＤ、ＣＩＤ及び時刻データを送信する。なお、ユーザの有する発光装置１２には時刻付与装置１１から時刻情報を予め付与しておく。配置された発光装置１２Ａ〜１２Ｃは、各端末１３Ａ〜１３Ｃを通じて、ＥＩＤ及びＣＩＤ並びにＡ〜Ｃ地点でチェックした時刻Ｔａ〜Ｔｃに関する情報を情報管理サーバ１６へ送信する。このように、時刻情報を基に、ユーザがＡ〜Ｃ地点を何時の時点で通過したのかをイベント提供者は知ることができる。そのため、例えば、イベント提供者は、ある時刻までにＡ〜Ｃ地点を通過できなかったユーザを失格にしたり、正しい通過順序（Ａ→Ｃ→Ｂの順は不正等）を守っているか否かといったこと知ることもできる。
【００８７】
［さらなる応用例］
本発明は、上述したとおり独自の構成を備え、特徴ある情報処理を伴うものであるが、これを適用可能な例は他にも数多くあり、その一部を効果も含めて例示すると、次のとおりである。
（Ａ）コンサート、スポーツイベント、サーカス、コンベンション、学園祭等のイベント会場で盛り上がったあとの「余韻」を街中に持ち出すことができる。
（Ｂ）イベント会場での待ち時間やイベント会場への移動時間も楽しむことができる。
（Ｃ）受信装置の設置により、イベント会場や道中の店舗に立ち寄る理由を提供することができる。
【００８８】
［実装上の他の実施例］
また、本発明を実施するうえでの実装上の他の実施例として、次の事項を挙げることができる。
（１）発光装置１２について
１−１）ＣＩＤそのもの、または、ＣＩＤとは異なるが一意に紐づく番号を装置の筐体等に印刷して外部または外部装置から識別することができるように構成できる。
１−２）発信ボタンは、自身がＥＩＤを保持していないと機能しないように構成することができる。
１−３）スイッチを切るとＥＩＤを破棄するように構成することもできるし、維持するように構成することもできる。
１−４）送信データは暗号化することができる。
（２）時刻付与装置１１について
２−１）自身がサーバから取得するＥＩＤには有効期限を設けることができる。
２−２）ＥＩＤはサーバからだけではなく、ＵＳＢ等のメモリから取得するように構成することもできる。
２−３）原則として、ＥＩＤはスイッチオフしても破棄されないが、破棄されるようにしても良く、その両方の（２種類の）ＥＩＤを設けることとしても良い。
（３）イベント提供者端末１３について
３−１）発光装置１２からの保持データ吸い上げ時のイベントとしては、店舗でのドリンクサービス等の「イベント主催者等からの感謝の気持ち」を表わすサービスを提供することもできる。
３−２）そのイベント提供者端末に到達しなかったことにより、保持データを提供できなかった発光装置Ａがあったとしても、発光装置ＡがＥＩＤを付与した他の発光装置Ｂがその受信装置に到達して保持データを提供していれば、サーバではこれを管理して、親ノードにあたる発光装置Ａを所持するユーザにも、系統図の閲覧を許可するように制御することもできる。
（４）ＥＩＤの省略またはＥＩＤのＣＩＤへの組み込みについて
４−１）本実施例では、ＥＩＤを独立したＩＤとして必須であるかのごとく説明したが、本発明はこれに限定されるものではない。例えば、イベントを区別する必要がない場合（本発明に係る発光装置及びシステムが特定のイベントにのみ使用されることが前提とされる場合）、ＥＩＤを省略することができる。
４−２）あるいは、ＥＩＤをＣＩＤへ組み込み、イベントを識別する識別子と発光装置を識別する識別子とを連結させて１つのＩＤとして管理することもできる。
４−３）上記４−１）、４−２）の場合、例えば、図６を参照して説明したステップＳ６０４は「ＣＩＤを受信？」に、ステップＳ６０５は「ＣＩＤを既に受信？」に、ステップＳ６０６は「ＣＩＤを新規登録」に、それぞれ設計変更される。また、図７を参照して説明したステップＳ７０１及びステップＳ７０２はそれぞれ割愛される。
４−４）上記４−３）の場合、図６及び７の動作フローを踏まえた具体例［キャンドルリレー時のＥＩＤ等の送受信の具体例］に示した表は、下表のように改められる。
＜キャンドルリレー時のＣＩＤ等の送受信の具体例＞
【表４】
0006632405.tif 000005
【００８９】
以上、具体例に基づき、イベント用発光装置及び該装置を用いたシステム等の実施形態を説明したが、本発明の実施形態としては、システム又は装置を実施するための方法又はプログラムの他、プログラムが記録された記憶媒体（一例として、光ディスク、光磁気ディスク、ＣＤ−ＲＯＭ、ＣＤ−Ｒ、ＣＤ−ＲＷ、磁気テープ、ハードディスク、メモリカード）等としての実施態様をとることも可能である。
【００９０】
また、プログラムの実装形態としては、コンパイラによってコンパイルされるオブジェクトコード、インタプリタにより実行されるプログラムコード等のアプリケーションプログラムに限定されることはなく、オペレーティングシステムに組み込まれるプログラムモジュール等の形態であっても良い。
【００９１】
さらに、プログラムは、必ずしも制御基板上のＣＰＵにおいてのみ、全ての処理が実施される必要はなく、必要に応じて基板に付加された拡張ボードや拡張ユニットに実装された別の処理ユニット（ＤＳＰ等）によってその一部又は全部が実施される構成とすることもできる。
【００９２】
本明細書（特許請求の範囲、要約、及び図面を含む）に記載された構成要件の全て及び／又は開示された全ての方法又は処理の全てのステップについては、これらの特徴が相互に排他的である組合せを除き、任意の組合せで組み合わせることができる。
【００９３】
また、本明細書（特許請求の範囲、要約、及び図面を含む）に記載された特徴の各々は、明示的に否定されない限り、同一の目的、同等の目的、または類似する目的のために働く代替の特徴に置換することができる。したがって、明示的に否定されない限り、開示された特徴の各々は、包括的な一連の同一又は均等となる特徴の一例にすぎない。
【００９４】
さらに、本発明は、上述した実施形態のいずれの具体的構成にも制限されるものではない。本発明は、本明細書（特許請求の範囲、要約、及び図面を含む）に記載された全ての新規な特徴又はそれらの組合せ、あるいは記載された全ての新規な方法又は処理のステップ、又はそれらの組合せに拡張することができる。
【符号の説明】
【００９５】
１    情報処理システム
１１  時刻付与装置
１２  発光装置
１３  イベント提供者端末（受信装置）
１４  ユーザ端末（受信装置）
１５  ネットワーク
１６  情報管理サーバ
【図１】
0006632405.tif 000006
【図２Ａ】
0006632405.tif 000007
【図２Ｂ】
0006632405.tif 000008
【図３Ａ】
0006632405.tif 000009
【図３Ｂ】
0006632405.tif 000010
【図４】
0006632405.tif 000011
【図５】
0006632405.tif 000012
【図６】
0006632405.tif 000013
【図７】
0006632405.tif 000014
【図８Ａ】
0006632405.tif 000015
【図８Ｂ】
0006632405.tif 000016
【図９】
0006632405.tif 000017
【図１０】
0006632405.tif 000018